(57)【要約】【課題】  記憶の保持にリフレッシュ動作を要する揮発性メモリを備えた表示制御装置の消費電力を低減する。【解決手段】  １ページの画像の表示に用いる表示データをリフレッシュ動作により保持可能な揮発性メモリＡと、１ページの画像を構成する１つのラインの画像の表示に要する表示データの数と同数の表示データを保持可能な第Ｎ＋１ラインメモリＢ３２および第ＮラインメモリＢ３３と、揮発性メモリＡから表示データを読み出す制御を行うリード制御回路Ｂ２２と、比較回路Ｂ３４を備える。比較回路Ｂ３４は、揮発性メモリＡから１ページ分の表示データが読み出されるとき、第Ｎ＋１ラインメモリＢ３２および第ＮラインメモリＢ３３を用いて、当該表示データで表される画像を構成する全てのラインの画像が相互に同一となるか否かを判定し、この結果が肯定的であれば揮発性メモリＡのリフレッシュ動作を停止させる。【選択図】            図２
2006235283.tif 000002
【特許請求の範囲】
【請求項１】
表示データで表される色となる画素を配列して構成された画面全体にわたって１ページ
の画像を表示する表示器に複数ページにわたる画像の表示に用いる表示データをページ単
位で順次供給して当該画像をページ単位で順次表示させる表示制御装置において、
所定数のページにわたる画像の表示に用いる表示データをリフレッシュ動作により保持
可能な揮発性メモリと、
前記所定数のページにわたる画像を互いに合同な複数の領域に分割したときの１つの領
域内の画像の表示に要する表示データの数と同数の表示データを保持可能な第1のメモリ
および第２のメモリと、
前記揮発性メモリから表示データを読み出す読み出し手段と、
前記読み出し手段により前記所定数のページにわたる画像の表示に用いる表示データが
読み出されるとき、当該画像を前記複数の領域に分割したときにいずれの領域内の画像の
表示に用いられるかを基準にして当該表示データを複数のグループに分けた場合の１つの
グループの表示データを前記第１のメモリに保持させるとともに他の１つのグループの表
示データを前記第２のメモリに保持させ、両グループの表示データを用いて表示される２
つの画像が同一となるか否かを両グループの表示データを比較することにより判定する比
較処理と、１または複数回の前記比較処理の結果に基づいて当該所定数のページにわたる
画像を前記複数の領域に分割したときの各領域内の画像が相互に同一となるか否かを判定
する判定処理と、前記判定処理の結果が肯定的であれば前記リフレッシュ動作を停止させ
る停止処理とを行う比較手段と
を具備する表示制御装置。
【請求項２】
前記所定数は１であり、
前記領域は複数の画素を所定の方向に一列で並べて構成されるラインであり、
前記画面は複数のラインから構成されている
ことを特徴とする請求項１に記載の表示制御装置。
【請求項３】
前記所定数は１であり、
前記領域は互いに隣接する複数の画素により構成されるブロックであり、
前記画面は複数のブロックから構成されている
ことを特徴とする請求項１に記載の表示制御装置。
【請求項４】
前記所定数は複数であり、
前記領域はページである
ことを特徴とする請求項１に記載の表示制御装置。
【請求項５】
前記揮発性メモリに表示データを書き込む書き込み手段と、
前記書き込み手段の挙動を監視し、前記書き込み手段により前記揮発性メモリに表示デ
ータが書き込まれる場合に前記リフレッシュ動作を開始させる監視開始手段と
を具備することを特徴とする請求項１乃至４のいずれかに記載の表示制御装置。
【請求項６】
外部からリフレッシュ動作の開始を指示する開始信号が供給されると前記リフレッシュ
動作を開始させる外部開始手段を具備することを特徴とする請求項１乃至４のいずれかに
記載の表示制御装置。
【請求項７】
少なくとも１ビットのデータを外部から更新可能に保持するレジスタを具備し、
前記比較手段は、前記レジスタに保持されているデータが所定のデータの場合にのみ、
前記比較処理および前記判定を行う
ことを特徴とする請求項１乃至６のいずれかに記載の表示制御装置。
【請求項８】
請求項１乃至７のいずれかに記載の表示制御装置を具備する電子機器。
【請求項９】
表示データで表される色となる画素を配列して構成された画面全体にわたって１ページ
の画像を表示する表示器に複数ページにわたる画像の表示に用いる表示データをページ単
位で順次供給して当該画像をページ単位で順次表示させる表示制御方法において、
所定数のページにわたる画像の表示に用いる表示データをリフレッシュ動作により保持
している揮発性メモリから当該表示データを読み出す読み出し過程と、
前記読み出し過程の開始後に開始され、前記読み出し手段により読み出される前記所定
数のページにわたる画像の表示に用いる表示データを、当該画像を互いに合同な複数の領
域に分割したときにいずれの領域内の画像の表示に用いられるかを基準にして複数のグル
ープに分けた場合の１つのグループの表示データを第１のメモリに保持させ、他の１つの
グループの表示データを第２のメモリに保持させ、両グループの表示データを用いて表示
される２つの画像が同一となるか否かを両グループの表示データを比較することにより判
定する比較過程と、
１または複数回の前記比較過程の判定結果に基づいて、前記読み出し手段により読み出
された表示データを用いて表示される前記所定数のページにわたる画像を前記複数の領域
に分割したときの各領域内の画像が相互に同一となるか否かを判定し、同一となると判定
した場合には前記リフレッシュ動作を停止させる判定過程と
を有する表示制御方法。
【発明の詳細な説明】
【技術分野】
【０００１】
本発明は、画像を表示する表示器に表示データを供給するための制御技術に関する。
【背景技術】
【０００２】
一般に、表示制御装置は、ホストから転送されてきた表示データを内部のバッファに書
き込み、このバッファから読み出して表示器に転送することにより、表示データに応じた
画像をページ単位で表示させる。バッファは、主に、ホスト側からの転送の速度と表示器
側への転送の速度の相違に起因する不都合を解消するために設けられており、少なくとも
１ページ分の表示データを保持可能な記憶容量を有する。
【０００３】
表示器の画素数の増大にともなって、バッファに要求される記憶容量も増大している。
このため、安価なＤＲＡＭ（Dynamic Random Access Memory）をバッファとして用いるの
が一般的になっている。ＤＲＡＭは記憶の保持にリフレッシュ動作を要する揮発性メモリ
であり、そのリフレッシュ動作は少なからぬ電力を消費する。この電力を低減することが
できれば、表示制御装置のみならず、表示制御装置を有する電子機器の消費電力を大幅に
低減することができる。
【０００４】
一方、特許文献１には、リフレッシュ動作を一時的に停止させて消費電力の低減を図っ
たメモリ制御装置が開示されている。このメモリ制御装置は、揮発性メモリのリフレッシ
ュ動作を、電源立ち上げ直後から最初のアクセスがあるまでの間停止させたり、最後にア
クセスがあってから所定の時間にわたってアクセスがない場合に停止させたり、使用され
ている記憶領域に限って行わせたりする。
【特許文献１】特開平７−１６９２６７号公報（特許請求の範囲）
【発明の開示】
【発明が解決しようとする課題】
【０００５】
特許文献１に開示の技術を用いれば、表示制御装置の消費電力を低減することができる
可能性がある。しかし、特許文献１に開示の技術はアクセスされていない揮発性メモリま
たはその一部のリフレッシュ動作を停止するものであるから、バッファの全ての記憶領域
にわたって書き込みや読み出しが頻繁に行われる表示制御装置に適用しても、消費電力を
大幅に低減することはできない。
本発明は、このような事情に鑑みてなされたものであり、その目的は、記憶の保持にリ
フレッシュ動作を要する揮発性メモリを備えた表示制御装置の消費電力を大幅に低減する
ことにある。
【課題を解決するための手段】
【０００６】
上述した課題を解決するために、本発明に係る表示制御装置は、表示データで表される
色となる画素を配列して構成された画面全体にわたって１ページの画像を表示する表示器
に複数ページにわたる画像の表示に用いる表示データをページ単位で順次供給して当該画
像をページ単位で順次表示させる表示制御装置において、所定数のページにわたる画像の
表示に用いる表示データをリフレッシュ動作により保持可能な揮発性メモリと、前記所定
数のページにわたる画像を互いに合同な複数の領域に分割したときの１つの領域内の画像
の表示に要する表示データの数と同数の表示データを保持可能な第1のメモリおよび第２
のメモリと、前記揮発性メモリから表示データを読み出す読み出し手段と、前記読み出し
手段により前記所定数のページにわたる画像の表示に用いる表示データが読み出されると
き、当該画像を前記複数の領域に分割したときにいずれの領域内の画像の表示に用いられ
るかを基準にして当該表示データを複数のグループに分けた場合の１つのグループの表示
データを前記第１のメモリに保持させるとともに他の１つのグループの表示データを前記
第２のメモリに保持させ、両グループの表示データを用いて表示される２つの画像が同一
となるか否かを両グループの表示データを比較することにより判定する比較処理と、１ま
たは複数回の前記比較処理の結果に基づいて当該所定数のページにわたる画像を前記複数
の領域に分割したときの各領域内の画像が相互に同一となるか否かを判定する判定処理と
、前記判定処理の結果が肯定的であれば前記リフレッシュ動作を停止させる停止処理とを
行う比較手段とを具備する。
【０００７】
この表示制御装置によれば、揮発性メモリから読み出された表示データが、所定数のペ
ージにわたって単色で塗りつぶされた画像の表示に用いられるものである場合には、当該
画像を互いに合同な複数の領域に分割したときの各領域内の画像が相互に同一となると判
定され、揮発性メモリのリフレッシュ動作が停止する。これにより、揮発性メモリでは表
示データが失われるが、表示器に供給すべき表示データは表示制御装置の第１のメモリお
よび第２のメモリに保持されている表示データを用いて生成可能であるから問題は生じな
い。通常、揮発性メモリには少なからぬ記憶容量が求められ、そのリフレッシュ動作には
大量の電力を要するから、リフレッシュ動作の停止は消費電力の低減に大きく貢献する。
また、第１のメモリおよび第２のメモリに保持されている表示データを用いて表示器に供
給すべき表示データを生成する場合には、その間、揮発性メモリから表示データを読み出
す必要がない。これも消費電力の低減に寄与する。以上より、この表示制御装置によれば
、消費電力を大幅に低減することができる。
【０００８】
なお、比較処理における比較の方法としては、２つのグループの表示データを用いて表
示される２つの画像が同一となるか否かを判定するために必要な結果を得ることができる
任意の方法を採用可能である。例えば、両グループの表示データを用いて表示される２つ
の画像において相対位置が等しい画素の色を表す表示データ同士を比較する方法を採用す
ることができる。
また、比較手段は１または複数回の比較処理の結果に基づいて判定処理を行っているが
、まず１回の比較処理を行い、この１回の比較処理により判定処理を行うに十分な結果が
得られない場合には比較処理を繰り返し行うようにしてもよい。
【０００９】
また、表示器への表示データの供給形態は、上記の読み出し手段または上記の読み出し
手段とは異なる手段により揮発性メモリから読み出された表示データをそのまま表示器に
供給する形態であってもよいし、表示制御装置内にメモリを設けて当該メモリを介して表
示器に供給する形態であってもよい。このメモリは、第１のメモリまたは第２のメモリで
あってもよいし、他のメモリであってもよい。また、揮発性メモリから読み出した表示デ
ータに所定の加工を施してから表示器に供給するようにしてもよい。
【００１０】
また、読み出し手段による表示データの読み出しの形態および第１のメモリおよび第２
のメモリによる表示データの保持の形態は任意である。例えば、読み出し手段が揮発性メ
モリから表示データを１回に１グループずつ重複なく読み出すようにし、２回目以降の読
み出しでは、今回読み出した１グループの表示データを第１のメモリに、前回または初回
に読み出した１グループの表示データを第２のメモリに保持させるようにしてもよいし、
今回読み出した１グループの表示データを前回読み出した１グループの表示データを保持
しているメモリ（例えば第１のメモリ）とは異なるメモリ（例えば第２のメモリ）に保持
させるようにしてもよい。また例えば、読み出し手段が揮発性メモリから１回に２グルー
プずつ表示データを読み出すようにし、一方のグループの表示データを第２のメモリに保
持させ、他方のグループの表示データを第１のメモリに保持させ、２回目以降の読み出し
では過去に読み出された１グループの表示データと過去に読み出されていない１グループ
の表示データを読み出すようにしてもよい。
【００１１】
上記の表示制御装置および態様を変形して別の態様としてもよい。
例えば、前記所定数は１であり、前記領域は複数の画素を所定の方向に一列で並べて構
成されるラインであり、前記画面は複数のラインから構成されているようにしてもよい。
この態様では、ライン単位で比較が行われるから、単色で塗りつぶされた画像のみならず
、同一の画像がライン単位で配列された画像（すなわち、所定の方向において色が変化し
所定の方向と直交する方向において色が変化しない画像）を表示する場合にも、揮発性メ
モリのリフレッシュ動作が停止する。
【００１２】
また例えば、前記所定数は１であり、前記領域は互いに隣接する複数の画素により構成
されるブロックであり、前記画面は複数のブロックから構成されているようにしてもよい
。この態様では、ブロック単位で比較が行われるから、単色で塗りつぶされた画像のみな
らず、同一の画像がブロック単位で配列された画像（例えば、上半分の画像と下半分の画
像が同一の画像）を表示する場合にも、揮発性メモリのリフレッシュ動作が停止する。
【００１３】
また例えば、前記所定数は複数であり、前記領域はページであるようにしてもよい。こ
の態様では、ページ単位で比較が行われるから、単色で塗りつぶされた画像のみならず、
同一の画像がページ単位で配列された画像（例えば、先に表示される１ページの画像と次
に表示される１ページの画像が同一の画像）を表示する場合にも、揮発性メモリのリフレ
ッシュ動作が停止する。
【００１４】
上記の表示制御装置および各種態様を変形してさらに別の態様としてもよい。
例えば、前記揮発性メモリに表示データを書き込む書き込み手段と、前記書き込み手段
の挙動を監視し、前記書き込み手段により前記揮発性メモリに表示データが書き込まれる
場合に前記リフレッシュ動作を開始させる監視開始手段とを具備するようにしてもよい。
また例えば、外部からリフレッシュ動作の開始を指示する開始信号が供給されると前記リ
フレッシュ動作を開始させる外部開始手段を具備するようにしてもよい。これらの態様に
よれば、揮発性メモリに表示データが書き込まれる場合には、または外部から開始信号が
供給されると、揮発性メモリのリフレッシュ動作が開始するから、画像の表示に必要な表
示データを漏れなく表示器に供給することができる。
【００１５】
上記の表示制御装置および各種態様を変形してさらに別の態様としてもよい。例えば、
少なくとも１ビットのデータを外部から更新可能に保持するレジスタを具備し、前記比較
手段は、前記レジスタに保持されているデータが所定のデータの場合にのみ、前記比較処
理および前記判定処理を行うようにしてもよい。一般に、２つの領域内の画像が同一とな
る可能性は、表示器に表示させようとする画像の性質によって異なる。例えば、風にそよ
ぐ草をビデオカメラで撮影して得られた動画像であれば、２つの領域内の画像が同一とな
る可能性は極めて低い。このような画像についても比較処理および判定処理を行うのは非
効率的である。そこで、この態様では、外部の装置（例えばＣＰＵ）が、比較処理および
判定処理を行うことの可否を定めることができるようにしている。一般に、外部の装置は
、表示制御装置に比較して、表示器に表示させようとする画像の性質を把握し易い立場に
あるから、比較処理および判定処理を行うことの可否をより適切に定めることができる。
以上より、この形態によれば、処理の効率を向上させることができる。
【００１６】
また、上記の表示制御装置および各種態様は表示装置等の各種の電子機器に適用され得
る。適用された電子機器は、適用されていない電子機器に比較して、上述した効果を奏す
ることになる。
【００１７】
また、本発明に係る表示制御方法は、表示データで表される色となる画素を配列して構
成された画面全体にわたって１ページの画像を表示する表示器に複数ページにわたる画像
の表示に用いる表示データをページ単位で順次供給して当該画像をページ単位で順次表示
させる表示制御方法において、所定数のページにわたる画像の表示に用いる表示データを
リフレッシュ動作により保持している揮発性メモリから当該表示データを読み出す読み出
し過程と、前記読み出し過程の開始後に開始され、前記読み出し手段により読み出される
前記所定数のページにわたる画像の表示に用いる表示データを、当該画像を互いに合同な
複数の領域に分割したときにいずれの領域内の画像の表示に用いられるかを基準にして複
数のグループに分けた場合の１つのグループの表示データを第１のメモリに保持させ、他
の１つのグループの表示データを第２のメモリに保持させ、両グループの表示データを用
いて表示される２つの画像が同一となるか否かを両グループの表示データを比較すること
により判定する比較過程と、１または複数回の前記比較過程の判定結果に基づいて、前記
読み出し手段により読み出された表示データを用いて表示される前記所定数のページにわ
たる画像を前記複数の領域に分割したときの各領域内の画像が相互に同一となるか否かを
判定し、同一となると判定した場合には前記リフレッシュ動作を停止させる判定過程とを
有する。
この表示制御方法によれば、上記の表示制御装置により得られる効果と同様の効果が得
られる。
【発明を実施するための最良の形態】
【００１８】
図１は本発明の一実施形態に係る表示制御装置１０を備えた表示装置１の構成を示すブ
ロック図である。表示装置１は、ＣＰＵ（Central Processing Unit）を有するホスト２
から表示データおよびホスト制御信号の供給を受けて表示データで表される画像を表示す
るものであり、その動作はホスト制御信号に従う。ホスト２から表示装置１への表示デー
タおよびホスト制御信号の供給形態としては周知の任意の形態を採用可能である。
【００１９】
表示装置１は、表示パネル２０と、ホスト２から供給される表示データおよびホスト制
御信号を受けて表示パネル２０に表示データおよび表示制御信号を供給する表示制御装置
１０を具備する。
表示パネル２０は、表示制御装置１０から供給される表示データで表される画像を画面
Ｒにより表示するものであり、相互に直交するＸ方向およびＹ方向にわたって画面Ｒ内に
マトリクス状に配列された複数の画素Ｐと、各画素Ｐを駆動するための走査線駆動回路２
１およびデータ線駆動回路２２とを具備する。走査線駆動回路２１は、Ｘ方向に並ぶ各ラ
インの画素Ｐを水平走査期間ごとに順次に選択する。一方、データ線駆動回路２２は、走
査線駆動回路２１によって選択された１ライン分の画素Ｐの各々に対し、表示データによ
って指定される階調（色）に応じた画像信号を出力する。各画素Ｐは、画像信号のレベル
に応じた輝度（色）にて発光する電気光学素子を有する。この電気光学素子は、例えば有
機ＥＬ（ElectroLuminescence）などのＯＬＥＤ素子である。
【００２０】
表示制御装置１０から表示パネル２０に供給される表示制御信号には同期信号およびク
ロック信号が含まれる。同期信号には、各ラインの画素Ｐが選択される水平走査期間に相
当する周期を有する水平同期信号と、表示パネル２０の総ての画素Ｐに対して画像信号が
供給される（すなわち全ラインの画素Ｐが走査線駆動回路２１によって選択される）垂直
走査期間に相当する周期を有する垂直同期信号が含まれる。また、クロック信号としては
、ひとつの水平走査期間を各ラインの画素数に応じて区分した時間長に相当する周期を有
するドットクロック信号がある。
【００２１】
表示制御装置１０は、揮発性メモリＡと表示制御回路Ｂとを具備し、画面Ｒを構成する
画素Ｐの数と同数の表示データを１単位として、複数単位の表示データを順次供給する。
表示パネル２０の画面Ｒ全体にわたる画像を１ページの画像としたとき、複数単位の表示
データを順次供給された表示パネル２０では、複数ページにわたる画像がページ単位で順
次表示される。もちろん、ホスト２から表示制御装置１０にも複数単位の表示データが順
次供給される。
【００２２】
表示データの転送速度および転送タイミングの少なくとも一方は、ホスト２から表示制
御装置１０への間と表示制御装置１０から表示パネル２０への間で相違する。このため、
表示制御装置１０にはこの相違に起因した不都合を解消するためのバッファが必要となる
。このバッファとして用いられるのが揮発性メモリＡである。揮発性メモリＡは１ページ
分の表示データを保持可能な記憶領域を有するＤＲＡＭである。ＤＲＡＭを用いるのは製
造コストを低減するためである。
【００２３】
ここで、表示制御装置１０の設計思想について説明する。
ＤＲＡＭは記憶の保持にリフレッシュ動作を要する半導体メモリであり、揮発性メモリ
Ａのリフレッシュ動作は少なからぬ電力を消費する。この電力を低減するために、部分画
像を繰り返し並べることにより再現可能な１ページの画像が存在すること、およびそのよ
うな画像を表示した場合には同一の画像を次に表示する可能性が高くなることに着目し、
そのような画像を表示した場合に揮発性メモリＡのリフレッシュ動作や揮発性メモリＡか
らのリード動作を一時的に停止させるようにしたのが表示制御装置１０である。表示制御
装置１０はこのような設計思想に基づいたものであるから、ＤＲＡＭ以外の、記憶の保持
にリフレッシュ動作を要する半導体メモリをバッファとして用いてもよい。
【００２４】
図２は表示制御回路Ｂの構成を示すブロック図である。図に示すように、表示制御回路
ＢはホストＩ／Ｆ（インターフェイス）回路Ｂ１、メモリ制御回路Ｂ２および表示Ｉ／Ｆ
回路Ｂ３を有する。
ホストＩ／Ｆ回路Ｂ１はホスト２との間のＩ／Ｆを司るものであり、ホストＩ／Ｆ制御
回路Ｂ１１とＦＩＦＯ（First In First Out）のバッファＢ１２を具備する。ホストＩ／
Ｆ制御回路Ｂ１１は、ホスト２からの表示データの供給が開始されると、ホスト２からの
表示データがバッファＢ１２に取り込まれるようにホストＩ／Ｆ回路Ｂ１の各部を制御す
る一方、後述のライト制御を開始する旨のライトスタート信号および後述のリフレッシュ
制御を開始する旨のリフレッシュ開始信号をメモリ制御回路Ｂ２に供給する。バッファＢ
１２は表示データを一時的に保持するものであり、その記憶容量は揮発性メモリＡに比較
して極めて小さい。バッファＢ１２としては書き換え可能な半導体メモリであれば如何な
るものでも採用可能であるが、消費電力低減の観点からは、記憶の保持にリフレッシュ動
作を要しないものを採用することが望ましい。
【００２５】
メモリ制御回路Ｂ２は揮発性メモリＡを制御するものであり、ライト制御回路Ｂ２１、
リード制御回路Ｂ２２およびリフレッシュ制御回路Ｂ２３を有する。
ライト制御回路Ｂ２１は、ホストＩ／Ｆ回路Ｂ１からライトスタート信号が供給される
とライト制御を開始する。ライト制御とは、バッファＢ１２から表示データを取り出して
揮発性メモリＡに書き込むライト動作を、ホスト２からの表示データの供給が停止するま
で繰り返し行わせる制御である。ライト制御では、メモリ制御回路Ｂ２から揮発性メモリ
Ａに、ライト動作を指示するメモリ制御信号および書き込みアドレスを指定するアドレス
指定信号が繰り返し供給される。
【００２６】
リード制御回路Ｂ２２は、揮発性メモリＡに保持されている表示データが１ページ分に
達するとリード制御を開始し、揮発性メモリＡに保持されている表示データが１ページ分
に満たなくなるとリード制御を停止する。リード制御とは、揮発性メモリＡから表示デー
タを読み出して表示Ｉ／Ｆ回路Ｂ３に供給するリード動作を繰り返し行わせる制御である
。リード制御では、メモリ制御回路Ｂ２から揮発性メモリＡに、リード動作を指示するメ
モリ制御信号および読み出しアドレスを指定するアドレス指定信号が繰り返し供給される
。
【００２７】
リフレッシュ制御回路Ｂ２３は、ホストＩ／Ｆ回路Ｂ１からリフレッシュ開始信号が供
給されるとリフレッシュ制御を開始する。リフレッシュ制御とは、揮発性メモリＡにリフ
レッシュ動作を繰り返し行わせる制御である。リフレッシュ制御では、メモリ制御回路Ｂ
２から揮発性メモリＡにリフレッシュ動作のトリガとなるリフレッシュコマンド（メモリ
制御信号）が所定のタイミングで供給される。また、リフレッシュ制御回路Ｂ２３は、表
示Ｉ／Ｆ回路Ｂ３から後述のリフレッシュ停止信号が供給されるとリフレッシュ制御を停
止する。
【００２８】
表示Ｉ／Ｆ回路Ｂ３は表示パネル２０との間のＩ／Ｆを司るものであり、表示Ｉ／Ｆ制
御回路Ｂ３１、第Ｎ＋１ラインメモリＢ３２、第ＮラインメモリＢ３３および比較回路Ｂ
３４を有する。
第ＮラインメモリＢ３３および第Ｎ＋１ラインメモリＢ３２は、それぞれ、１ライン単
位で表示データを保持するメモリであり、リード動作により揮発性メモリＡから読み出さ
れた表示データを保持する。これらのメモリＢ３３およびＢ３２は書き換え可能な半導体
メモリであれば如何なるものであってもよいが、消費電力低減の観点からは、記憶の保持
にリフレッシュ動作を要しないものであることが望ましい。
【００２９】
以降の説明では、１ページ分の表示データを構成する１ライン分の表示データの各々を
、表示パネル２０に供給される順序に従って「第１ラインデータ」、「第２ラインデータ
」、「第３ラインデータ」、…と呼ぶ。１ページがＭラインから構成される場合、１ペー
ジ分の表示データについてのリード動作において、第ＮラインメモリＢ３３に保持される
表示データは、第１ライン分の表示データ、第２ライン分の表示データ、第３ライン分の
表示データ、…、第Ｍ−１ライン分の表示データという順序で更新され、第Ｎ＋１ライン
メモリＢ３２に保持される表示データは、第２ライン分の表示データ、第３ライン分の表
示データ、第４ライン分の表示データ、…、第Ｍラインデータという順序で更新される。
また、両者の更新タイミングは相互に同期しており、第ＮラインメモリＢ３３に保持され
ている表示データが第Ｎラインデータであるときには第Ｎ＋１ラインメモリＢ３２に保持
されている表示データが第Ｎ＋１ラインデータとなる。よって、以降では、第Ｎラインメ
モリＢ３３に保持されている表示データを「第Ｎラインデータ」と呼び、第Ｎ＋１ライン
メモリＢ３２に保持されている表示データを「第Ｎ＋１ラインデータ」と呼ぶ。
【００３０】
上記の更新を実現する方法は任意である。例えば、１回のリード動作により１ライン分
の表示データが読み出されるようにし、読み出された１ライン分の表示データで第Ｎ＋１
ラインデータを更新し、この更新に先立って第Ｎ＋１ラインデータが退避され、この退避
された第Ｎ＋１ラインデータで第Ｎラインデータを更新するようにしてもよい。また例え
ば、１回のリード動作により２ライン分の表示データが読み出されるようにし、このリー
ド動作をＭ−１回繰り返し、各リード動作において、先の１ライン分の表示データで第Ｎ
ラインデータを、後の１ライン分の表示データで第Ｎ＋１ラインデータを更新するように
してもよい。
【００３１】
表示Ｉ／Ｆ制御回路Ｂ３１は、水平同期信号に従って水平走査期間毎に、１ライン単位
で表示データを表示パネル２０のデータ線駆動回路２２に供給するとともに当該表示デー
タを用いて画像を正しく表示するための表示制御信号を走査線駆動回路２１に供給する。
なお、表示パネル２０への表示データの供給形態は、第ＮラインメモリＢ３３から読み出
して行う形態であってもよいし、第Ｎ＋１ラインメモリＢ３２から読み出して行う形態で
あってもよいし、揮発性メモリＡから読み出されたものをそのまま供給する形態であって
もよい。
【００３２】
比較回路Ｂ３４は、第Ｎラインデータおよび第Ｎ＋１ラインデータを上述したように更
新する一方、１ページ分の表示データが表示パネル２０に供給されるとき（１ページ分の
表示データが揮発性メモリＡから読み出されるとき）に、当該１ページの画像を複数のラ
インに分割したときの各ラインの画像が相互に同一となるか否かの判定処理を行い、この
判定処理の結果が肯定的な場合にのみ、リフレッシュ制御を停止する旨のリフレッシュ停
止信号をメモリ制御回路Ｂ２に供給する。また、この場合、比較回路Ｂ３４は、次にリー
ド動作が開始されるまで第Ｎラインデータまたは第Ｎ＋１ラインデータが繰り返し表示パ
ネル２０に供給されるように、表示Ｉ／Ｆ回路Ｂ３各部を制御する。
【００３３】
また比較回路Ｂ３４は、上記の判定処理のために、第Ｎラインデータと第Ｎ＋１ライン
データとを比較して比較結果を得る比較処理を行う。この比較結果は、第Ｎラインデータ
を表示パネル２０に供給して表示される画像と第Ｎ＋１ラインデータを表示パネル２０に
供給して表示される画像が同一であるか否かを示すものとなる。つまり、比較回路Ｂ３４
は、比較処理により得られた比較結果に基づいて上記の判定処理を行う。上記の比較結果
をもたらす比較方法としては、第Ｎラインデータに係る画像と第Ｎ＋１ラインデータに係
る画像において相対位置が等しい画素の色を表す表示データ同士を比較する方法が挙げら
れる。
【００３４】
図３は表示制御回路Ｂを構成する比較回路Ｂ３４がリフレッシュ動作の停止に関して行
う処理を示すフローチャートである。図に示すように、比較回路Ｂ３４は、まずリード動
作により揮発性メモリＡから読み出された第１ラインデータで第Ｎラインデータを更新す
る一方、リード動作により揮発性メモリＡから読み出された第２ラインデータで第Ｎ＋１
ラインデータを更新する（ステップＳａ１）。次に第Ｎラインデータと第Ｎ＋１ラインデ
ータとを比較し、両者に係る２つの画像が同一であるか否かを判定する（ステップＳａ２
）。そして、同一でないと判定した場合には、揮発性メモリＡのリフレッシュ動作を継続
させる（ステップＳａ３）。具体的には、リフレッシュ動作を継続する旨の信号をメモリ
制御回路Ｂ２に供給するか、あるいは何もしない。
【００３５】
一方、同一であると判定した場合には、１ページ分の表示データの全てについて上記の
判定を終了したか否か、すなわちページが終了したか否かを判定する（ステップＳａ４）
。ページが終了していないと判定した場合には、リード動作により揮発性メモリＡから読
み出された第２ラインデータで第Ｎラインデータを更新する一方、リード動作により揮発
性メモリＡから読み出された第３ラインデータで第Ｎ＋１ラインデータを更新する（ステ
ップＳａ１）。
【００３６】
以降、第Ｎラインデータに係る画像と第Ｎ＋１ラインデータに係る画像が同一でないと
判定するまで、またはページが終了したと判定するまで、後続のラインデータについて上
述と同様の処理を繰り返す。そして、ステップＳａ４でページが終了したと判定した場合
には、すなわち１ページ分の表示データを構成する全てのラインデータに係る画像が同一
であると判定した場合には、比較回路Ｂ３４はリフレッシュ停止信号をメモリ制御回路Ｂ
２に供給することにより揮発性メモリＡのリフレッシュ動作を停止させる（ステップＳａ
５）。
【００３７】
図４は表示制御装置１０の動作例を示すタイミングチャートであり、以下、主にこの図
を参照して表示装置１の動作について説明する。なお、この動作例では、ホスト２側の転
送速度よりも表示パネル２０側の転送速度の方が速いものとする。また、揮発性メモリＡ
には既に１ページ分の表示データが保持されているものとする。さらに、この表示データ
で表される画像は、一本の対角線で分割された一方の領域が白で塗りつぶされ、他方の領
域が黒で塗りつぶされた画像（以降、「第１の画像」という）であるものとする。
【００３８】
図では、既に、ホスト２から表示データの供給を開始する旨のホスト制御信号が供給さ
れ、ホスト２から単色で塗りつぶされた１ページの画像（以降、「第２の画像」という）
を表す１ページ分の表示データの供給が開始されている。したがって、既に、ホストＩ／
Ｆ制御回路Ｂ１１からメモリ制御回路Ｂ２にライトスタート信号が供給されており、メモ
リ制御回路Ｂ２のライト制御回路Ｂ２１はライト制御を行っており、ホスト２から供給さ
れた表示データはバッファＢ１２を介して揮発性メモリＡに書き込まれ続けている。一方
、リフレッシュ制御回路Ｂ２３はリフレッシュ制御を開始しており、揮発性メモリＡは所
定の周期でリフレッシュ動作を行っている。このため、揮発性メモリＡに書き込まれた表
示データは保持されている。
【００３９】
また、リード制御回路Ｂ２２は既にリード制御を開始しており、揮発性メモリＡに保持
されている表示データは読み出されて表示Ｉ／Ｆ回路Ｂ３経由で表示パネル２０に供給さ
れる。図に示すように、第１の画像に係る表示データの読み出しは第２の画像に係る表示
データのライト制御中に行っており、表示パネル２０には第１の画像が表示される。一方
、表示Ｉ／Ｆ回路Ｂ３では、揮発性メモリＡから読み出された１ページ分の表示データに
ついて、図３に示す処理が行われる。しかし、この表示データは第１の画像に係るもので
あるから、ステップＳａ２の判定結果は「Ｎｏ」となる。したがって、揮発性メモリＡの
リフレッシュ動作は継続される。
【００４０】
上記の読み出しが完了すると、すぐに次の読み出し（図中のハッチング部分）が開始さ
れる。図に示すように、この読み出しは第２の画像に係る表示データのライト制御が停止
した後に完了するから、表示パネル２０には第２の画像が表示される。一方、表示Ｉ／Ｆ
回路Ｂ３では、揮発性メモリＡから読み出された１ページ分の表示データについて、図３
に示す処理が行われる。この表示データは第２の画像に係るものであるから、ステップＳ
ａ２の判定結果は「Ｙｅｓ」であり続け、最終的にはステップＳａ４の判定結果が「Ｙｅ
ｓ」となる。よって、比較回路Ｂ３４はリフレッシュ停止信号をメモリ制御回路Ｂ２へ供
給する。
【００４１】
これにより、リフレッシュ制御回路Ｂ２３がリフレッシュ制御を停止し、リード制御回
路Ｂ２２がリード制御を停止する。以降、揮発性メモリＡのリフレッシュ動作および揮発
性メモリＡからのリード動作が停止する。この結果、揮発性メモリＡに保持されている表
示データはやがて失われるが、以降、表示Ｉ／Ｆ回路Ｂ３から表示パネル２０には、第Ｎ
ラインデータまたは第Ｎ＋１ラインデータが繰り返し供給されるから、表示パネル２０に
は第２の画像が表示され続ける。
【００４２】
次に、ホスト２から表示データの供給を開始する旨のホスト制御信号が供給され、ホス
ト２から第１の画像に係る１ページ分の表示データの供給が開始されると、ホストＩ／Ｆ
制御回路Ｂ１１からメモリ制御回路Ｂ２にライトスタート信号およびリフレッシュ開始信
号が供給される。これにより、ライト制御回路Ｂ２１がライト制御を開始し、リフレッシ
ュ制御回路Ｂ２３がリフレッシュ制御を開始する。この結果、揮発性メモリＡへのライト
動作および揮発性メモリＡのリフレッシュ動作が開始する。そして、１ページ分の表示デ
ータが揮発性メモリＡに書き込まれてライト制御が停止すると、リード制御回路Ｂ２２が
リード制御を開始する。
【００４３】
以上説明したように、表示制御装置１０によれば、複数のラインに分割したときの各ラ
インの画像が相互に同一となる１ページの画像を表す１ページ分の表示データが揮発性メ
モリＡから読み出されると、次に表示データが揮発性メモリＡに書き込まれるまで、揮発
性メモリＡのリフレッシュ動作が停止する（図４参照）。以降、表示パネル２０に供給さ
れる表示データは第ＮラインメモリＢ３３または第Ｎ＋１ラインメモリＢ３２に保持され
ている表示データから再生される。よって、この表示制御装置１０によれば、転送速度の
調整用のバッファとして用いられる揮発性メモリのリフレッシュ動作を常に継続する装置
に比較して、消費電力を大幅に低減することができる。
【００４４】
また、図４の動作例では、ホスト２側の転送速度よりも表示パネル２０側の転送速度の
方が速く、１つの表示データが揮発性メモリＡから複数回にわたって読み出されることに
なる。これら複数回の読み出しのうち２回目以降の読み出しが、上記の制御によって不要
となる。つまり、表示制御装置１０によれば、リード動作の削減も可能となる。これは、
更なる低消費電力化につながる。
これらのことは、表示制御装置１０を具備する電子機器の消費電力の低減に寄与する。
【００４５】
また、表示制御装置１０によれば、ホスト２から表示データが供給されるとリフレッシ
ュ動作が再開されるから、リフレッシュ動作を停止させることに起因して懸念される、処
理すべき表示データを漏らす事態を回避することができる。
【００４６】
また、表示制御装置１０によれば、第Ｎラインデータは、第１ラインデータ、第２ライ
ンデータ、第３ラインデータ、…、という順序で変遷するから、リード動作が停止してい
る場合にも停止していない場合にも一貫して第Ｎラインデータ（または第Ｎ＋１ラインデ
ータ）を表示パネル２０に供給するという、制御し易い構成を採ることができる。
【００４７】
また、表示制御装置１０を以下のように変形することもできる。
例えば、ライン単位ではなく、１ページの画像を等分可能な任意のブロック単位で表示
データの比較を行うようにしてもよい。もちろん、複数のラインを１ブロックとしてもよ
い。また例えば、揮発性メモリＡに代えて複数ページ分の表示データを保持可能な揮発性
メモリを用い、ページ単位で表示データの比較を行うようにしてもよい。すなわち、１ま
たは複数ページにわたる画像を互いに合同な複数の領域に分割したときの領域単位で表示
データの比較を行うようにしてもよい。
【００４８】
また例えば、ホスト側からリフレッシュの開始を指示する所定の開始信号が供給される
とリフレッシュ開始信号を出力するようにホストＩ／Ｆ制御回路Ｂ１１を変形してもよい
。
また例えば、表示制御装置１０に少なくとも１ビットのデータを外部から更新可能に保
持するレジスタを設け、このレジスタに保持されているデータにしたがって表示制御回路
Ｂが動作するようにし、表示制御回路Ｂの動作モードをホスト側から変更できるようにし
てもよい。この場合の動作モードとしては、図４に示す処理を行うモードと行わないモー
ドがある。この形態では、ホスト側で適切な制御を行うことにより、必要のないことが明
らかである場合に図４に示す処理を行う事態を避けることができる。よって、表示制御装
置１０の処理効率の向上が期待される。
【００４９】
また、表示制御装置１０または表示制御回路Ｂと表示パネル２０とを一体化した構成と
してもよいし、表示制御装置１０または表示制御回路Ｂと走査線駆動回路２１とを一体化
した構成としてもよいし、表示制御装置１０または表示制御回路Ｂとデータ線駆動回路２
２とを一体化した構成としてもよい。また、表示制御装置１０または表示制御回路Ｂは、
画像データの処理に専用されるＤＳＰ（Digital Signal Processor）などのハードウェア
によって実現され得るし、ＣＰＵなどのコンピュータとプログラムとの協働によっても実
現され得る。このプログラムは、例えば、図４に示す処理をコンピュータに実行させる内
容となる。
【００５０】
また、ＯＬＥＤ素子を含む画素Ｐが配列された表示パネル２０を例示したが、各画素Ｐ
や表示パネル２０の構成は任意に変更される。例えば、液晶表示パネル、電界放出ディス
プレイ（ＦＥＤ：Field Emission Display）パネル、プラズマディスプレイパネルといっ
た各種の表示パネルを備えた表示装置にも本発明は適用される。したがって、本発明にお
ける画素は、画像データによって指定された階調を表示する単位となる要素であれば足り
、その具体的な構成の如何は不問である。典型的には、電気的なエネルギーの付与によっ
て透過率や輝度といった光学的な特性が変化する性質を備えた電気光学素子を備えた要素
が画素として採用される。
【００５１】
また、上記表示装置１および上記表示装置１を変形して得られる装置は、画像を表示す
る任意の電子機器に応用可能である。このような電子機器の例を以下に列挙する。
図５に、表示装置１を適用したモバイル型のパーソナルコンピュータの構成を示す。パ
ーソナルコンピュータ２０００は、表示装置１と本体部２０１０とを備える。本体部２０
１０には、電源スイッチ２００１およびキーボード２００２が設けられている。
図６に、表示装置１を適用した携帯電話機の構成を示す。携帯電話機３０００は、複数
の操作ボタン３００１およびスクロールボタン３００２のほかに表示装置１を備える。ス
クロールボタン３００２を操作することによって、表示装置１に表示される画面がスクロ
ールされる。
図７に、表示装置１を適用した情報携帯端末（ＰＤＡ：Personal Digital Assistants
）の構成を示す。情報携帯端末４０００は、複数の操作ボタン４００１および電源スイッ
チ４００２のほかに表示装置１を備える。複数の操作ボタン４００１を操作すると、住所
録やスケジュール帳といった各種の情報が表示装置１に表示される。
なお、本発明に係る表示装置が適用される電子機器としては、図５から図７に示したも
ののほか、デジタルスチルカメラ、液晶テレビ、ビューファインダ型、モニタ直視型のビ
デオテープレコーダ、カーナビゲーション装置、ページャ、電子手帳、電卓、ワードプロ
セッサ、ワークステーション、テレビ電話、ＰＯＳ端末、タッチパネルを備えた機器等な
どが挙げられる。
【図面の簡単な説明】
【００５２】
【図１】本発明の一実施形態に係る表示制御装置１０を備えた表示装置１の構成を示すブロック図である。
【図２】表示制御装置１０を構成する表示制御回路Ｂの構成を示すブロック図である。
【図３】表示制御回路Ｂを構成する比較回路Ｂ３４がリフレッシュ動作の停止に関して行う処理を示すフローチャートである。
【図４】表示制御装置１０の動作例を示すタイミングチャートである。
【図５】表示装置１を適用したパーソナルコンピュータの構成を示す斜視図である。
【図６】表示装置１を適用した携帯電話機の構成を示す斜視図である。
【図７】表示装置１を適用した携帯情報端末の構成を示す斜視図である。
【符号の説明】
【００５３】
１…表示装置、２…ホスト、１０…表示制御装置、２０…表示パネル、２１…走査線駆
動回路、２２…データ線駆動回路、Ａ…揮発性メモリ、Ｂ…表示制御回路、Ｂ１…ホスト
Ｉ／Ｆ回路、Ｂ１１…ホストＩ／Ｆ制御回路、Ｂ１２…バッファ、Ｂ２…メモリ制御回路
、Ｂ２１…ライト制御回路、Ｂ２２…リード制御回路、Ｂ２３…リフレッシュ制御回路、
Ｂ３…表示Ｉ／Ｆ回路、Ｂ３１…表示Ｉ／Ｆ制御回路、Ｂ３２…第Ｎ＋１ラインメモリ、
Ｂ３３…第Ｎラインメモリ、Ｂ３４…比較回路、Ｐ…画素、Ｒ…画面。
【図１】
2006235283.tif 000003
【図２】
2006235283.tif 000004
【図３】
2006235283.tif 000005
【図４】
2006235283.tif 000006
【図５】
2006235283.tif 000007
【図６】
2006235283.tif 000008
【図７】
2006235283.tif 000009